(57)【要約】【課題】高所においても安全、かつ、簡単にＬＥＤユニットが交換でき、しかも、高い放熱性が確保できる照明器具を提供する。【解決手段】照明器具１０において、天井に取り付けられ下方に開口部１３を有する器具本体１１と、開口部１３を開閉自在としてヒンジ１８を介して器具本体１１に連結されヒンジ１８の反対側に器具本体１１とに亘って設けられる固定手段１９を備えた枠体１２と、枠体１２に取り付けられるＬＥＤユニット１５と、器具本体１１に固定され枠体１２が閉じられたときにＬＥＤユニット１５に接触する放熱板３２と、を設けた。ＬＥＤユニット１５と接する放熱板３２の接触面３３には、クッション性を有して圧縮される熱伝導シート３４が貼られていることが好ましい。【選択図】図１
2012129099.tif 000002
【特許請求の範囲】
【請求項１】
天井に取り付けられ下方に開口部を有する器具本体と、
前記開口部を開閉自在としてヒンジを介して前記器具本体に連結され該ヒンジの反対側に前記器具本体とに亘って設けられる固定手段を備えた枠体と、
前記枠体に取り付けられるＬＥＤユニットと、
前記器具本体に固定され前記枠体が閉じられたときに前記ＬＥＤユニットに接触する放熱板と、を具備する照明器具。
【請求項２】
請求項１に記載の照明器具において、
前記ＬＥＤユニットと接する前記放熱板の接触面に、クッション性を有して圧縮される熱伝導シートが貼られている照明器具。
【請求項３】
請求項１または請求項２に記載の照明器具において、
前記器具本体には電源線に接続された雌端子を内部に収容した雌型コネクタが固定され、
前記枠体には該枠体が閉じられたときに前記雌型コネクタと嵌合して前記雌端子に雄端子を接触させる雄型コネクタが固定される照明器具。
【発明の詳細な説明】
【技術分野】
【０００１】
本発明は、天井に取り付けられる照明器具に関する。
【背景技術】
【０００２】
天井に取り付けて用いる照明器具には、枠体にバネ部材を取り付けるとともに、器具本体にバネ受け金具を設け、バネ部材をバネ受け金具に係止して枠体を器具本体に支持するものが知られている（例えば特許文献１参照）。図８に示すＬＥＤユニット１００が搭載されるこの種の照明器具１０１では、枠体１０２にバネ部材１０３が取り付けられ、器具本体１０４にバネ受け金具１０５が設けられている。器具本体１０４からはコネクタ１０６を接続した電源線１０７が導出され、このコネクタ１０６はＬＥＤユニット１００からのコネクタ１０８と接続される。ＬＥＤユニット１００は駆動により発熱するが、この熱は、ＬＥＤユニット１００が放熱板１０９にネジ固定され、この放熱板１０９が枠体１０２にネジ固定されることで放熱効果を向上させている。
【先行技術文献】
【特許文献】
【０００３】
【特許文献１】特開２００９−２５９６５０号公報（図３）
【発明の概要】
【発明が解決しようとする課題】
【０００４】
しかしながら、複数のＬＥＤユニット１００が枠体１０２に取り付けられる場合、枠体１０２の重量が大きくなることからバネ部材１０３の引き上げ力を大きくしなければならず、このため、枠体１０２を取り外す際に大きな力が必要となり、高所での作業ともなるため、危険を伴う虞があった。また、枠体１０２が器具本体１０４から外された状態においても、電源線１０７のコネクタ１０６とＬＥＤユニット１００からのコネクタ１０８とは接続されているため、安全性を向上させる上では好ましくなかった。さらに、ＬＥＤユニット１００を交換する際には、放熱板１０９ごと枠体１０２から取り外して交換したり、その放熱板１０９からさらにＬＥＤユニット１００のみを取り外して交換したりする場合もあるが、ネジの点数が多く手間がかかった。これに対し、枠体１０２ごと交換を行えば、手間は省けるものの、交換部品点数が増えコストが増大した。
【０００５】
本発明は上記状況に鑑みてなされたもので、その目的は、高所においても安全、かつ、簡単にＬＥＤユニットが交換でき、しかも、高い放熱性が確保できる照明器具を提供することにある。
【課題を解決するための手段】
【０００６】
本発明に係る照明器具は、天井に取り付けられ下方に開口部を有する器具本体と、前記開口部を開閉自在としてヒンジを介して前記器具本体に連結され該ヒンジの反対側に前記器具本体とに亘って設けられる固定手段を備えた枠体と、前記枠体に取り付けられるＬＥＤユニットと、前記器具本体に固定され前記枠体が閉じられたときに前記ＬＥＤユニットに接触する放熱板と、を具備するものである。
【０００７】
また、本発明は、前記ＬＥＤユニットと接する前記放熱板の接触面に、クッション性を有して圧縮される熱伝導シートが貼られているものである。
【０００８】
また、本発明は、前記器具本体には電源線に接続された雌端子を内部に収容した雌型コネクタが固定され、前記枠体には該枠体が閉じられたときに前記雌型コネクタと嵌合して前記雌端子に雄端子を接触させる雄型コネクタが固定されるものである。
【発明の効果】
【０００９】
本発明に係る照明器具によれば、高所においても安全、かつ、簡単にＬＥＤユニットが交換でき、しかも、高い放熱性を確保することができる。
【図面の簡単な説明】
【００１０】
【図１】本発明に係る照明器具の器具本体および枠体を切り欠いた側面図
【図２】ダルマ穴取付構造を適用した角形枠体のＬＥＤユニット取付説明図
【図３】ダルマ穴取付構造を適用した円形枠体のＬＥＤユニット取付説明図
【図４】ラッチ取付構造を適用した角形枠体のＬＥＤユニット取付説明図
【図５】ラッチ取付構造を適用した円形枠体のＬＥＤユニット取付説明図
【図６】弾性係止爪取付構造を適用した枠体のＬＥＤユニット取付説明図
【図７】図１に示した照明器具の枠体を開いた側面図
【図８】従来の照明器具の分解斜視図
【発明を実施するための形態】
【００１１】
以下、本発明の実施形態を図面を参照して説明する。
図１は本発明に係る照明器具の器具本体および枠体を切り欠いた側面図である。
本実施形態に係る照明器具１０は、器具本体１１に枠体１２を開閉自在に取り付けている。器具本体１１は、不図示の天井に取り付けられ下方に開口部１３を有する。器具本体１１および枠体１２は、本実施形態において四角形に形成されるが円形であってもよい。
【００１２】
器具本体１１は、開口部１３の外周に、不図示の鍔部が形成され天井に形成した取付穴の周囲が目隠しされる。器具本体１１の天井への取付構造は、種々のものが適用される。例えば取付バネを用いた構造では、器具本体１１の外周に先端が自由端となった不図示の取付バネを複数突出し、鍔部とで取付穴の周縁を挟持して照明器具１０を天井に保持できる。この他、天井下地材に直接ビス固定する取付構造としてもよい。
【００１３】
器具本体１１には、ＬＥＤ電源ユニット１４が固定されている。ＬＥＤ電源ユニット１４は、後述のＬＥＤユニット１５に点灯のための電力を供給するもので、外部の商用電源が電気的に接続される。このＬＥＤ電源ユニット１４とＬＥＤユニット１５とは、枠体１２の開閉に伴って自動で結合、離脱がなされる後述の雌型コネクタ１６、雄型コネクタ１７にて接続される。
【００１４】
枠体１２は、開口部１３を開閉自在としてヒンジ１８を介して器具本体１１に連結される。従って、開放された状態の枠体１２は、重力により鉛直方向に開かれ、ヒンジ１８を介して器具本体１１に吊られた状態に支持される。枠体１２は、ヒンジ１８の反対側に器具本体１１とに亘って固定手段１９が設けられる。
【００１５】
固定手段１９としては、種々のものが適用できるが、基本的に器具本体１１に閉止した枠体１２を固定できるものであればよい。例えば、ラッチ式固定具、フック金具、蓋止金具２０、クレセント等を利用できる。図例では、フック２１、掛け環２１Ａ、および摘み部２２とからなる蓋止金具２０を示している。蓋止金具２０を用いれば、枠体１２を所定の締結力により器具本体１１に固定することができる。また、摘み部２２により固定を解除しても掛け環２１Ａをフック２１に掛止して段階的な枠体１２の開放が可能となる。
【００１６】
枠体１２には上記のＬＥＤユニット１５が取り付けられる。ＬＥＤユニット１５は不図示の複数のＬＥＤを不図示の実装基板に実装してなる。実装基板は、ユニット本体２３に固定される。実装基板の表面には絶縁層であるサブマウントを介してＬＥＤチップが設けられる。ＬＥＤチップとしては、青色光（λ≒４００〜４６０ｎｍ）を放射するＧａＮ系青色半導体発光素子が好適に用いられる。ＬＥＤチップは、サブマウントや実装基板に設けられた回路部に電極がワイヤにて接続される。ＬＥＤチップ、ワイヤはシリコーン樹脂からなる薄型レジンにより覆われる。薄型レジンは、空気層を介してさらに蛍光体キャップによって覆われる。
【００１７】
例えばＬＥＤが白色仕様の場合、蛍光体キャップは、緑色蛍光体、黄色蛍光体、赤色蛍光体を透光性シリコーン樹脂に分散した後、硬化させて形成されている。この蛍光体キャップによって、ＬＥＤチップからの一部の青色光が、緑色光（λ≒５４０〜５６５ｎｍ）、黄色光（λ≒５６０〜５８０ｎｍ）、赤色光（λ≒６８０〜７２０ｎｍ）に変換され、これらの光が混ざり合って白色光が生成される。
【００１８】
図２はダルマ穴取付構造を適用した角形枠体のＬＥＤユニット取付説明図、図３はダルマ穴取付構造を適用した円形枠体のＬＥＤユニット取付説明図、図４はラッチ取付構造を適用した角形枠体のＬＥＤユニット取付説明図、図５はラッチ取付構造を適用した円形枠体のＬＥＤユニット取付説明図、図６は弾性係止爪取付構造を適用した枠体１２のＬＥＤユニット取付説明図である。
ＬＥＤユニット１５は、枠体１２に対して容易に着脱でき、かつ、確実に固定されることが望まれる。このような脱着可能な固定構造としては、例えば、図２に示す一対のダルマ穴２４を、ＬＥＤユニット１５を支持するブラケット２５に形成し、枠体１２に突出させたビス２６に締結する構造が挙げられる。このダルマ穴取付構造は、図３に示すように、円形のＬＥＤユニット２７をブラケット２５に固定し、円形の枠体２８に取り付けることもできる。
【００１９】
また、図４に示す一対のラッチ穴２９を、ＬＥＤユニット１５を支持するブラケット２５に形成し、枠体１２に突出させたラッチ３０に係合する構造が挙げられる。このラッチ取付構造は、図５に示すように、円形のＬＥＤユニット２７をブラケット２５に固定し、円形の枠体２８に取り付けることもできる。
【００２０】
さらに、図６に示すように、枠体１２に一対の弾性係止爪３１を離間して突設し、ＬＥＤユニット１５をこの弾性係止爪３１にて弾性的に着脱自在に保持する弾性係止爪取付構造とすることもできる。
【００２１】
ところで、器具本体１１には放熱板３２が固定されている。この放熱板３２は、枠体１２が閉じられたときに、ＬＥＤユニット１５のユニット本体２３に接触する。つまり、ＬＥＤの駆動により発生した熱が、上記した実装基板からユニット本体２３に伝わり、さらに放熱板３２に伝わるようになされている。本実施形態では、さらに、ＬＥＤユニット１５と接する放熱板３２の接触面３３に、クッション性を有して圧縮される熱伝導シート３４が貼られている。この熱伝導シート３４は、放熱板３２と器具本体１１との間にさらに設けられてもよい。熱伝導シート３４は、シリカやアルミナ等のフィラーからなる充填材を含有し、かつ、加熱時に低粘度化する樹脂シートからなる。
【００２２】
枠体１２を閉止する際、枠体１２に取り付けられたＬＥＤユニット１５が、器具本体１１の放熱板３２に接近するが、ＬＥＤユニット１５と放熱板３２の間に挟まれた熱伝導シート３４が圧縮されて間隙を埋めることになる。これにより、より広い面積での密着が可能となって、熱伝導率が高まり、いっそう効率的な放熱が可能となっている。
【００２３】
また、器具本体１１には電源線３５に接続された雌端子３６を内部に収容した雌型コネクタ１６が固定されている。一方、枠体１２には、枠体１２が閉じられたときに雌型コネクタ１６と嵌合して雌端子３６に雄端子３７を接触させる雄型コネクタ１７が固定される。これにより、枠体１２が閉止されると、ＬＥＤ電源ユニット１４とＬＥＤユニット１５とが、電源線３５、雌型コネクタ１６、および雄型コネクタ１７を介して電気的に接続されることになる。
【００２４】
次に、上記構成を有する照明器具１０の作用を説明する。
図７は図１に示した照明器具１０の枠体１２を開いた側面図である。
照明器具１０では、固定手段１９の固定が解除されると、枠体１２が重力によってヒンジ１８を介して回転し、開かれた状態に支持される。枠体１２が開かれると、器具本体１１側に固定された雌型コネクタ１６から、枠体１２に固定された雄型コネクタ１７が離脱し、ＬＥＤユニット１５への給電が遮断される。これにより、別段の電源遮断工程（手によるコネクタ離脱作業等）を経なくとも、枠体１２の開放時に感電の虞のない安全な作業が自動的に可能となる。
【００２５】
開放された枠体１２は、ヒンジ１８を介して器具本体１１に支持された状態で垂直となるので、枠体１２が落下する心配がなく、ＬＥＤユニット１５が正面から安全、かつ、容易に交換できる状態となる。この状態で、交換の必要がある場合には、ＬＥＤユニット１５が、上記の固定構造を解除することにより枠体１２から脱着され、新規のものへと交換される。ＬＥＤユニット１５の交換の後、枠体１２を閉め、固定手段１９にて枠体１２を器具本体１１に固定すると、枠体１２に取り付けられたＬＥＤユニット１５が、器具本体１１の放熱板３２に接触し、熱伝導による効率的な放熱が可能となる。同時に、枠体１２が閉められることで、雌型コネクタ１６に雄型コネクタ１７が再び結合し、ＬＥＤユニット１５へ自動的に給電がなされることになる。
【００２６】
従って、本実施形態に係る照明器具１０によれば、高所においても安全、かつ、簡単にＬＥＤユニット１５が交換でき、しかも、高い放熱性を確保することができる。
【符号の説明】
【００２７】
１０  照明器具
１１  器具本体
１２  枠体
１３  開口部
１５  ＬＥＤユニット
１６  雌型コネクタ
１７  雄型コネクタ
１８  ヒンジ
１９  固定手段
３２  放熱板
３３  接触面
３４  熱伝導シート
３５  電源線
３６  雌端子
３７  雄端子
【図１】
2012129099.tif 000003
【図２】
2012129099.tif 000004
【図３】
2012129099.tif 000005
【図４】
2012129099.tif 000006
【図５】
2012129099.tif 000007
【図６】
2012129099.tif 000008
【図７】
2012129099.tif 000009
【図８】
2012129099.tif 000010